(57)【要約】  【課題】  荷台上に設置した幌を、その後端から順次、簡便に折畳み、貨物の搬入および搬出作業性を高めることができる新たな荷台幌用の骨格技術を提供する。  【解決手段】  前後門型枠２０，２０前後柱部２１，２１の中、一方に後倒リンク３０の一端を軸着し、同後倒リンク３０の他端を前後門型枠２０，２０前後柱部２１，２１の中、他方にスライド機構３３を介して連結し、且つ、前後門型枠２０，２０前後柱部２１，２１の中、他方に前倒リンク３１の一端を軸着し、同前倒リンク３１の他端を前後門型枠２０，２０前後柱部２１，２１の中、一方にスライド機構３３，３３を介して連結し、自律伸縮機構３，３を設けてなる荷台用幌張枠装置１である。【選択図】    図１
2017065655.tif 000002
【特許請求の範囲】
【請求項１】
前後に適宜間隔を置いて隣接する門型枠の複数が、前後隣接するもの同士を組み合わせて門型枠群とし、当該門型枠群中の前後に隣接する前後門型枠柱部の中、何れか一方の上下間適所に、後倒リンクの一端を水平軸心回りに回動自在に軸着し、同後倒リンクの他端を前後柱部の中、何れか他方の上下間適所に、上下摺動自在とするスライド機構を介して連結し、且つ、当該門型枠群中の前後に隣接する前後門型枠柱部の中、何れか他方の上下間適所に、前倒リンクの一端を水平軸心回りに回動自在に軸着し、同前倒リンクの他端を前後柱部の中、何れか一方の上下間適所に、上下摺動自在とするスライド機構を介して連結し、各前後位柱部間夫々に後倒リンクおよび前倒リンクをＸ字状に交叉させてなる自律伸縮機構を設けてなるものとしたことを特徴とする荷台用幌張枠装置。
【請求項２】
前後に適宜間隔を置いて隣接する門型枠の複数が、前後隣接するもの同士を組み合わせて門型枠群とし、当該門型枠群中の前後に隣接する前後門型枠柱部の中、何れか一方の上下間適所に、後倒リンクの一端を水平軸心回りに回動自在に軸着し、同後倒リンクの他端を前後柱部の中、何れか他方の上下間適所に、上下摺動自在とするスライド機構を介して連結し、且つ、当該門型枠群中の前後に隣接する前後門型枠柱部の中、何れか他方の上下間適所に、前倒リンクの一端を水平軸心回りに回動自在に軸着し、同前倒リンクの他端を前後柱部の中、何れか一方の上下間適所に、上下摺動自在とするスライド機構を介して連結し、各前後位柱部間夫々に後倒リンクおよび前倒リンクをＸ字状に交叉させてなる自律伸縮機構を設け、設置対象荷台床の最も後端に配した門型枠から、各自律伸縮機構毎に各門型枠１個ずつ順次、前方に隣接する門型枠に近接するよう移動、折り畳み可能なものとしてなることを特徴とする荷台用幌張枠装置
【請求項３】
設置対象荷台床の左右幅端夫々に、直立姿勢に配置可能な左右柱部の上端間に、設置対象荷台床の左右幅に相当する長さの梁部を横架してなる門型枠の複数が、前後隣接するもの同士が互いに同一高さ、および、前後隣接するもの同士が互いに異なる高さの少なくとも何れか一方の組み合わせとした門型枠群をなすものとし、当該門型枠群中の前後に隣接する前後門型枠柱部の中、何れか一方の上下間適所に、後倒リンクの一端を水平軸心回りに回動自在に軸着し、同後倒リンクの他端を前後柱部の中、何れか他方の上下間適所に、上下摺動自在とするスライド機構を介して連結し、且つ、当該門型枠群中の前後に隣接する前後門型枠柱部の中、何れか他方の上下間適所に、前倒リンクの一端を水平軸心回りに回動自在に軸着し、同前倒リンクの他端を前後柱部の中、何れか一方の上下間適所に、上下摺動自在とするスライド機構を介して連結し、各前後位柱部間夫々に後倒リンクおよび前倒リンクをＸ字状に交叉させてなる自律伸縮機構を設けてなるものとしたことを特徴とする荷台用幌張枠装置。
【請求項４】
設置対象荷台床の左右幅端夫々に、直立姿勢に配置可能な左右柱部の上端間に、設置対象荷台床の左右幅に相当する長さの梁部を横架してなる門型枠の複数が、前後隣接するもの同士が互いに同一高さ、および、前後隣接するもの同士が互いに異なる高さの少なくとも何れか一方の組み合わせとした門型枠群をなすものとし、当該門型枠群中の前後に隣接する前後門型枠柱部の中、後位枠柱部の上下間適所に、後倒リンクの上端を水平軸心回りに回動自在に軸着し、同後倒リンクの下端を前位柱部の上下間適所に、上下摺動自在とするスライド機構を介して連結し、且つ、当該門型枠群中の前後に隣接する前後門型枠柱部の中、前位柱部の上下間適所に、前倒リンクの上端を水平軸心回りに回動自在に軸着し、同前倒リンクの下端を後位枠柱部の上下間適所に、上下摺動自在とするスライド機構を介して連結し、各前後位柱部間夫々に後倒リンクおよび前倒リンクをＸ字状に交叉させてなる自律伸縮機構を設け、設置対象荷台床の最も後端に配した門型枠から、各自律伸縮機構毎に各門型枠１個ずつ順次、前方に隣接する門型枠に近接するよう移動、折り畳み可能なものとしてなることを特徴とする荷台用幌張枠装置。
【請求項５】
設置対象荷台床の左右幅端夫々に、直立姿勢に配置可能な左右柱部の上端間に、設置対象荷台床の左右幅に相当する長さの梁部を横架してなる門型枠の複数が、前後隣接するもの同士が互いに同一高さ、および、前後隣接するもの同士が互いに異なる高さの少なくとも何れか一方の組み合わせとした門型枠群をなすものとし、当該門型枠群中の前後に隣接する前後門型枠柱部の中、何れか一方の上下間適所に、後倒リンクの一端を水平軸心回りに回動自在に軸着し、同後倒リンクの他端を前後柱部の中、何れか他方の上下間適所に、上下摺動自在とするスライド機構を介して連結し、且つ、当該門型枠群中の前後に隣接する前後門型枠柱部の中、何れか他方の上下間適所に、前倒リンクの他端を水平軸心回りに回動自在に軸着し、同前倒リンクの一端を前後柱部の中、何れか一方の上下間適所に、上下摺動自在とするスライド機構を介して連結し、各前後位柱部間夫々に後倒リンクおよび前倒リンクをＸ字状に交叉させてなる自律伸縮機構を設け、設置対象荷台床の最も後端に配した門型枠から、各自律伸縮機構毎に各門型枠１個ずつ順次、前方に隣接する門型枠に近接するよう移動、折り畳み可能なものとしてなることを特徴とする荷台用幌張枠装置。
【請求項６】
設置対象荷台床の左右幅端夫々に、直立姿勢に配置可能な左右柱部の上端間に、設置対象荷台床の左右幅に相当する長さの梁部を横架してなる門型枠の複数が、前後隣接するもの同士が互いに同一高さ、および、前後隣接するもの同士が互いに異なる高さの少なくとも何れか一方の組み合わせとした門型枠群をなすものとし、当該門型枠群中の前後に隣接する前後門型枠柱部の中、前位枠柱部の上下間適所に、後倒リンクの上端を水平軸心回りに回動自在に軸着し、同後倒リンクの下端を後位枠柱部の上下間適所に、上下摺動自在とするスライド機構を介して連結し、且つ、当該門型枠群中の前後に隣接する前後門型枠柱部の中、前位枠柱部の上下間適所に、前倒リンクの下端を水平軸心回りに回動自在に軸着し、同前倒リンクの上端を後位枠柱部の上下間適所に、上下摺動自在とするスライド機構を介して連結し、各前後位柱部間夫々に後倒リンクおよび前倒リンクをＸ字状に交叉させてなる自律伸縮機構を設け、設置対象荷台床の最も後端に配した門型枠から、各自律伸縮機構毎に各門型枠１個ずつ順次、前方に隣接する門型枠に近接するよう移動、折り畳み可能なものとしてなることを特徴とする荷台用幌張枠装置。
【請求項７】
門型枠群各門型枠左右柱部の下端には、設置対象荷台床左右幅端の前後方向にスライド移動可能とする滑動機構を設けてなるものとした、請求項１ないし６何れか一記載の荷台用幌張枠装置。
【請求項８】
前倒リンクが、門型枠群各門型枠左右柱部（設置対象荷台）内外側の何れか一方に配し、後倒リンクが、各門型枠左右柱部（設置対象荷台）内外側の何れか他方に配してなるものとした、請求項１ないし７何れか一記載の荷台用幌張枠装置。
【請求項９】
前倒リンクまたは後倒リンクの何れか一方が、同何れか他方よりも長尺に設定してなるものとした、請求項１ないし８何れか一記載の荷台用幌張枠装置。
【発明の詳細な説明】
【技術分野】
【０００１】
この発明は、車両などの荷台に幌を設置可能とする技術に関連するものであり、特に、必要に応じて幌の設置範囲を調節したり、折り畳み収納したりすることができる幌張枠装置を製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                        
【背景技術】
【０００２】
（着目点）
小型トラック、特に軽トラックは、我が国の農業に欠くことのできない作業車両であって、例えば、農作物の収穫に利用する場合、荷台に積み込んだ青物野菜類を輸送中の風雨雪や塵埃から保護したり、米や籾殻などを搬送中の風雨雪、塵埃から保護すると共に、周囲への飛散を防止したりするために、荷台内に丁度収まるよう全体をトンネル状に覆うパイプハウス型の幌を設置したものがあり、こうしたパイプハウス型の幌は、荷台上に固定するよう設置すると、急に荷台の横から搭載品を出し入れする必要が生じた時や、幌の高さを超える大きなものを乗せなければならない場合など、不都合を来してしまうという難点を残すものであった。
【０００３】
（従来の技術）
こうした状況を反映し、その打開策となるような提案も、これまでに散見されない訳ではない。
例えば、下記の特許文献１（１）に提案されているものに代表されるように、本願出願人が開発した、小型トラック荷台の前枠に対して接続具により脱着自在に固定される門型固定フレームと、該門型固定フレームと同形または相似する形状のフレームで、柱相当部下端にキャスターを取着してなる門型可動フレームとからなり、門型固定フレームの後方に多数の門型可動フレームを互いに並行にして立設させると共に、これら各フレーム相互を、連動した並行移動が可能となる如く接続リンクで接続するようにし、小型トラック荷台前枠を支持部とした門型固定フレームに対し、多数の門型可動フレームが連動式に平行移動自在となるようにして、荷台を雨水から保護する場合に、後方まで一杯に拡げることによって固定式の幌と同様の機能を果すものとし、幌が不要なときには、多数の門型可動フレームを門型固定フレームに寄せるよう折り畳むことができるようにしたものや、同特許文献１（２）に見られるようなトラック荷台に搭載し、籾殻を収納可能な収納部を設けておき、該トラック荷台の左右両側部に並列状に立設可能な縦杆部および該荷台の上方位置にして該左右の縦杆部間に設けた横杆部からなる複数個の枠杆体と、該並列する複数個の枠杆体の隣り合う縦杆部間に配設し、一対のリンク杆を中心枢軸により枢着してなるＸ状リンクとを備えるものとし、各枠杆体を近接離反移動することができ、保管時等の不使用時においては、各枠杆体を円滑に近接移動させて畳むことができ、荷台の長さサイズに対応することもでき、更に不可避的に荷台上に残った籾殻の掻き出しに当たっては、各枠杆体を近接移動させることにより、荷台が外部に露出した状態で掻き出すことが可能となり、それだけ作業性を高めることができると共に、使用の利便性も高めて、籾殻を収納部に良好に収納することができるようにした籾殻運搬用コンテナなどが散見される。
【０００４】
しかし、前者特許文献１（１）に示されているような小型トラック荷台ようの可動式幌骨格は、柱相当部に摺動管を装着した門型可動フレーム、およびそれを挟み前後に配置した門型可動フレームを、平行な接続リンクによって連結し、該前後３個の門型可動フレームが、折り畳みの１単位となるものとなっているから、１個の門型可動フレームのみを折り畳むことはできないという課題を残すものであり、また、特許文献１（２）に代表する籾殻運搬用コンテナなどは、前後に隣接する枠杆部の全てに、上下２個の摺動筒体を有し、それら前後に対峙する上下摺動筒体間にＸ状に交叉し、交叉部を水平軸で連結したリンクの各端部を枢着し、同様のリンク機構によって前後端間に渡る全体を連結してなることから、一組みＸ状リンクを折り畳むと、これに連動して全体が同じ動作で折り畳まれてしまうこととなってしまい、例えば、１個の枠杆部だけを折り畳むという操作が不可能なものであった。
【０００５】
そして、同様の欠点を有するものとして、図１２ないし図１６に示す事例を参照すると、軽トラック５の荷台床５０上に配した前後複数の門型枠２０，２０，……の左右夫々の前後柱部２１，２１間に、Ｘ状に交叉し、交叉部を水平軸にて相互軸着した、Ｘ状リンク７を配し、該Ｘ状リンク７をなす前傾リンク７０および後傾リンク７１の各上端を、前後に対応する柱部２１，２１上部に枢着し、同前傾リンク７０および後傾リンク７１の各下端を、摺動管８，８を介して前後に対応する柱部２１，２１下部に装着してなる幌張枠６があり、図１３に示すように、各Ｘ状リンク７を前後長Ｌに展開すると、荷台全長に相当する寸法ＡＬに延伸することができ、図１５のように、該幌張枠６の後端がわを折畳もうとすると、全てのＸ状リンク７，７，…が連動して前後長Ｓとなり、前後長が中途前進寸法ＳＬとなるよう折り畳まれてしまうこととなり、幌（図示せず）で囲まれた（床面上の）荷室内に、例えば籾殻などを搭載している場合には、貨物が各門型枠２０，２０，……柱部２１，２１，……に接触し、各門型枠２０，２０，……およびＸ状リンク７，７，…の円滑な動作を妨げてしまって、実質的に、全ての貨物を荷室から搬出した後でなければ、図１５および図１６に示すように、幌張枠６全体を折り畳むことができず、幌および門型枠２０，２０，……が、クレーンやフォークリフトなどを使用する場合には特に、貨物搬出作業の邪魔になってしまうという致命的な欠点があった。                                
【特許文献１】（１）特開平２−１０２８２０号公報    （２）特許第４４７０１７９号公報
【発明の概要】
【発明が解決しようとする課題】
【０００６】
（問題意識）
上述したとおり、従前までに提案のある各種荷台幌用の骨格装置などは、何れも前後に配した複数の門型可動フレームの中の、例えば後端に配した１個だけを単独で折り畳む操作ができず、荷台の後方から貨物を搬出して行く作業の場合に、荷台後方の貨物を搬出し終え、さらに前方の貨物を搬出しようとする際に、荷台後端に配置した門型可動フレームだけを１個単位に折り畳み、荷台床面を露出するように操作することができず、例えばクレーンやフォークリフト、ショベルカー、ベルトコンベア、ハーベスター、コンバインなどを利用した貨物の搬入、搬出の作業が困難である上、荷台の側部から貨物の上げ下ろしをする場合などにも対応するのが困難であるという欠点が残るものであり、永年、様々な利用者に対し、柔軟に対応して様々な農業用機器、装置類の開発、提供に携わり、既に自らにおいて前記特開平２−１０２８２０号公報などを完成、提供し続けてきている中、それらから得られた様々な知見、およびユーザーからの情報などに基づき、台幌用の骨格のより柔軟な折り畳み機能上からは勿論のこと、製造工程上からも、その搭載、設置機能を向上し、搭載および利用の作業効率を、さらに高めるための構成につき、更なる改善の可能性を痛感するに至ったものである。
【０００７】
（発明の目的）
そこで、この発明は、荷台上に設置した幌を、その後端から順次、簡便に折り畳み、貨物の搬入および搬出作業性を高めることができる新たな荷台幌用の骨格技術の開発はできないものかとの判断から、逸速くその開発、研究に着手し、長期に渡る試行錯誤と幾多の試作、実験とを繰り返してきた結果、今回、遂に新規な構造の荷台用幌張枠装置を実現化することに成功したものであり、以下では、図面に示すこの発明を代表する実施例と共に、その構成を詳述することとする。                                                        
【課題を解決するための手段】
【０００８】
（発明の構成）
図面に示すこの発明を代表する実施例からも明確に理解されるように、この発明の荷台用幌張枠装置は、基本的に次のような構成から成り立っている。
即ち、前後に適宜間隔を置いて隣接する門型枠の複数が、前後隣接するもの同士を組み合わせて門型枠群とし、当該門型枠群中の前後に隣接する前後門型枠柱部の中、何れか一方の上下間適所に、後倒リンクの一端を水平軸心回りに回動自在に軸着し、同後倒リンクの他端を前後柱部の中、何れか他方の上下間適所に、上下摺動自在とするスライド機構を介して連結し、且つ、当該門型枠群中の前後に隣接する前後門型枠柱部の中、何れか他方の上下間適所に、前倒リンクの一端を水平軸心回りに回動自在に軸着し、同前倒リンクの他端を前後柱部の中、何れか一方の上下間適所に、上下摺動自在とするスライド機構を介して連結し、各前後位柱部間夫々に後倒リンクおよび前倒リンクをＸ字状に交叉させてなる自律伸縮機構を設けてなるものとした構成を要旨とする荷台用幌張枠装置である。
【０００９】
これを換言するならば、前後に適宜間隔を置いて隣接する門型枠の複数が、前後隣接するもの同士を組み合わせて門型枠群とし、当該門型枠群中の前後に隣接する前後門型枠柱部の中、何れか一方の上下間適所に、後倒リンクの一端を水平軸心回りに回動自在に軸着し、同後倒リンクの他端を前後柱部の中、何れか他方の上下間適所に、上下摺動自在とするスライド機構を介して連結し、且つ、当該門型枠群中の前後に隣接する前後門型枠柱部の中、何れか他方の上下間適所に、前倒リンクの一端を水平軸心回りに回動自在に軸着し、同前倒リンクの他端を前後柱部の中、何れか一方の上下間適所に、上下摺動自在とするスライド機構を介して連結し、各前後位柱部間夫々に後倒リンクおよび前倒リンクをＸ字状に交叉させてなる自律伸縮機構を設け、設置対象荷台床の最も後端に配した門型枠から、各自律伸縮機構毎に各門型枠１個ずつ順次、前方に隣接する門型枠に近接するよう移動、折り畳み可能なものとした構成の荷台用幌張枠装置であるとすることができる。
【００１０】
更に具体的な構成のものとして示すならば、設置対象荷台床の左右幅端夫々に、直立姿勢に配置可能な左右柱部の上端間に、設置対象荷台床の左右幅に相当する長さの梁部を横架してなる門型枠の複数が、前後隣接するもの同士が互いに同一高さ、および、前後隣接するもの同士が互いに異なる高さの少なくとも何れか一方の組み合わせとした門型枠群をなすものとし、当該門型枠群中の前後に隣接する前後門型枠柱部の中、何れか一方の上下間適所に、後倒リンクの一端を水平軸心回りに回動自在に軸着し、同後倒リンクの他端を前後柱部の中、何れか他方の上下間適所に、上下摺動自在とするスライド機構を介して連結し、且つ、当該門型枠群中の前後に隣接する前後門型枠柱部の中、何れか他方の上下間適所に、前倒リンクの一端を水平軸心回りに回動自在に軸着し、同前倒リンクの他端を前後柱部の中、何れか一方の上下間適所に、上下摺動自在とするスライド機構を介して連結し、各前後位柱部間夫々に後倒リンクおよび前倒リンクをＸ字状に交叉させてなる自律伸縮機構を設けてなるものとした荷台用幌張枠装置となる。
【００１１】
更にまた、設置対象荷台床の左右幅端夫々に、直立姿勢に配置可能な左右柱部の上端間に、設置対象荷台床の左右幅に相当する長さの梁部を横架してなる門型枠の複数が、前後隣接するもの同士が互いに同一高さ、および、前後隣接するもの同士が互いに異なる高さの少なくとも何れか一方の組み合わせとした門型枠群をなすものとし、当該門型枠群中の前後に隣接する前後門型枠柱部の中、後位枠柱部の上下間適所に、後倒リンクの上端を水平軸心回りに回動自在に軸着し、同後倒リンクの下端を前位柱部の上下間適所に、上下摺動自在とするスライド機構を介して連結し、且つ、当該門型枠群中の前後に隣接する前後門型枠柱部の中、前位柱部の上下間適所に、前倒リンクの上端を水平軸心回りに回動自在に軸着し、同前倒リンクの下端を後位枠柱部の上下間適所に、上下摺動自在とするスライド機構を介して連結し、各前後位柱部間夫々に後倒リンクおよび前倒リンクをＸ字状に交叉させてなる自律伸縮機構を設け、設置対象荷台床の最も後端に配した門型枠から、各自律伸縮機構毎に各門型枠１個ずつ順次、前方に隣接する門型枠に近接するよう移動、折り畳み可能な構成とした荷台用幌張枠装置を含んでいる。
【００１２】
より一層具体的には、設置対象荷台床の左右幅端夫々に、直立姿勢に配置可能な左右柱部の上端間に、設置対象荷台床の左右幅に相当する長さの梁部を横架してなる門型枠の複数が、前後隣接するもの同士が互いに同一高さ、および、前後隣接するもの同士が互いに異なる高さの少なくとも何れか一方の組み合わせとした門型枠群をなすものとし、当該門型枠群中の前後に隣接する前後門型枠柱部の中、何れか一方の上下間適所に、後倒リンクの一端を水平軸心回りに回動自在に軸着し、同後倒リンクの他端を前後柱部の中、何れか他方の上下間適所に、上下摺動自在とするスライド機構を介して連結し、且つ、当該門型枠群中の前後に隣接する前後門型枠柱部の中、何れか他方の上下間適所に、前倒リンクの他端を水平軸心回りに回動自在に軸着し、同前倒リンクの一端を前後柱部の中、何れか一方の上下間適所に、上下摺動自在とするスライド機構を介して連結し、各前後位柱部間夫々に後倒リンクおよび前倒リンクをＸ字状に交叉させてなる自律伸縮機構を設け、設置対象荷台床の最も後端に配した門型枠から、各自律伸縮機構毎に各門型枠１個ずつ順次、前方に隣接する門型枠に近接するよう移動、折り畳み可能なものとした荷台用幌張枠装置と言うことができる。
【００１３】
同じく、設置対象荷台床の左右幅端夫々に、直立姿勢に配置可能な左右柱部の上端間に、設置対象荷台床の左右幅に相当する長さの梁部を横架してなる門型枠の複数が、前後隣接するもの同士が互いに同一高さ、および、前後隣接するもの同士が互いに異なる高さの少なくとも何れか一方の組み合わせとした門型枠群をなすものとし、当該門型枠群中の前後に隣接する前後門型枠柱部の中、前位枠柱部の上下間適所に、後倒リンクの上端を水平軸心回りに回動自在に軸着し、同後倒リンクの下端を後位枠柱部の上下間適所に、上下摺動自在とするスライド機構を介して連結し、且つ、当該門型枠群中の前後に隣接する前後門型枠柱部の中、前位枠柱部の上下間適所に、前倒リンクの下端を水平軸心回りに回動自在に軸着し、同前倒リンクの上端を後位枠柱部の上下間適所に、上下摺動自在とするスライド機構を介して連結し、各前後位柱部間夫々に後倒リンクおよび前倒リンクをＸ字状に交叉させてなる自律伸縮機構を設け、設置対象荷台床の最も後端に配した門型枠から、各自律伸縮機構毎に各門型枠１個ずつ順次、前方に隣接する門型枠に近接するよう移動、折り畳み可能なものとした構成からなる荷台用幌張枠装置であるとすることもできる。                  
【発明の効果】
【００１４】
以上のとおり、この発明の荷台用幌張枠装置によれば、従前までのものとは違い、上記したとおりの固有の特徴ある構成から、門型枠群中の前後に隣接する門型枠が自律伸縮機構により、前後離間距離を所定間隔に保持可能となり、設置対象荷台床上に幌を張設することによって搭載貨物を風雨雪などの外部環境から保護することができ、門型枠を１個ずつ、前方に隣接する門型枠に近接するよう移動、折り畳み可能なものとしたから、設置対象荷台床の深部（前部）から後端まで順次貨物を積み込みながら、各門型枠を順次後進するよう展開して行くようにしたり、設置対象荷台床の後端がわから順次搭載貨物を搬出し、搬出作業の進行に伴い、最も後端がわの門型枠から１個ずつ前方に隣接する門型枠に近接するよう移動、折り畳みして行くように使用することが可能となり、貨物の搬入、搬出にクレーンやフォークリフト、ショベルカー、ベルトコンベア、ハーベスター、コンバインなどの重機類、農業用機械類等を有効利用可能とすることができる上、急に荷台の横から搭載品を出し入れする必要が生じた時や、幌の高さを超える大きなものを乗せなければならない場合などにも速やかに対応することができ、さらに、粒状物や粉状部などの物品を搬出する場合にも、設置対象荷台床の最も後端がわの門型枠より１個ずつ前方に移動して、順次折り畳むように操作し、貨物搬出作業の効率を格段に高めたものとすることができ、貨物容積に応じて自由に幌全長を調節可能としたから、貨物車両走行中の幌への横風抵抗を軽減し、より安全な走行を実現化できるものになるという秀でた特徴を発揮することができる。
【００１５】
当該門型枠群中の前後に隣接する前後門型枠左右少なくとも何れか一方の前後柱部の中、後位柱部の上下間適所に、後倒リンクの上端を水平軸心回りに回動自在に軸着し、同後倒リンクの下端を同前位柱部の上下間適所に、上下摺動自在とするスライド機構を介して連結し、且つ、当該門型枠群中の前後に隣接する前後門型枠左右少なくとも何れか一方の前後柱部の中、前位柱部の上下間適所に、前倒リンクの上端を水平軸心回りに回動自在に軸着し、同前倒リンクの下端を同後位柱部の上下間適所に、上下摺動自在とするスライド機構を介して連結し、各前後位柱部間夫々に後倒リンクおよび前倒リンクをＸ字状に交叉させてなる自律伸縮機構を設けたものでは、後倒リンクおよび前倒リンクの各下端夫々にスライド機構を設けたものとしたから、各スライド機構に後倒リンクおよび前倒リンク夫々の自重の垂直下向き荷重が加わって、前後門型枠同士を近接させるように折り畳む際や展開させる場合などに、スライド機構の昇降移動がより円滑となり、門型枠群の前後伸縮作業を格段に容易なものとすることができる。
【００１６】
門型枠群中の前後に隣接する前後門型枠左右少なくとも何れか一方の前後柱部の中、前位柱部の上下間適所に後倒リンクの上端を水平軸心回りに回動自在に軸着し、同後倒リンクの下端を同後位柱部の上下間適所に上下摺動自在とするスライド機構を介して連結し、且つ、当該門型枠群中の前後に隣接する前後門型枠左右少なくとも何れか一方の前後柱部の中、前位柱部の上下間適所に前倒リンクの下端を水平軸心回りに回動自在に軸着し、同前倒リンクの上端を後位柱部の上下間適所に上下摺動自在とするスライド機構を介して連結し、各前後位柱部間夫々に後倒リンクおよび前倒リンクをＸ字状に交叉させてなる自律伸縮機構を設けたものは、前倒リンクおよび後倒リンクを互いに同一寸法とすることができるから、門型枠を展開または折り畳み操作する際に、各部の摩擦抵抗が略均等に分散され、門型枠群のより円滑な前後伸縮作業を実現化することができると共に、前倒リンク、後倒リンクおよびそれに付随する軸着部分やスライド機構を共通部品として使用することができ、生産効率を格段に高めたものとすることができる。
【００１７】
滑動機構を設けたものでは、各門型枠左右柱部下端を設置対象荷台床左右端の所望の位置に安定して支持可能とし、門型枠群の前後伸縮操作性を格段に円滑化するから、設置対象荷台床に設置した当該荷台用幌張枠装置門型枠群を確りと保持し、各門型枠の配列からの逸脱や脱落をより確実に防止することができ、しかも門型枠の個別進退移動の摩擦抵抗を大幅に軽減し、一段と容易に前後伸縮操作できるものとなり、各門型枠の前後移動に伴う設置対象荷台床の傷付きや摩耗をより確実に防止するものとなる。
【００１８】
前倒リンクが、門型枠群各門型枠左右柱部（設置対象荷台）内外側の何れか一方に配し、後倒リンクが、各門型枠左右柱部（設置対象荷台）内外側の何れか他方に配したものでは、前倒リンクおよび後倒リンクの干渉を防止し、それらの軸着部分やスライド機構の構造を格段にシンプルなものとし、自律伸縮機構をより簡素な組み立て形状のものとすることができるから、当該荷台用幌張枠装置の軽量化および低コスト化を達成することができる。
【００１９】
前倒リンクまたは後倒リンクの何れか一方が、同何れか他方よりも長尺に設定するようにしたものは、同一の門型枠左右何れか一方の（１本の）柱部上下間に、前倒リンクおよび後倒リンク双方のスライド機構が、互いに同一軸心上に上下近接して接続してなる場合にも、互いのスライド機構同士が干渉するのを防ぎ、自律伸縮機構を円滑に動作可能なものとし、門型枠群各門型枠の前後進退移動操作性を高めたものとすることができる。                          
【発明を実施するための最良の形態】
【００２０】
上記したとおりの構成からなるこの発明の実施に際し、その最良もしくは望ましい形態について説明を加えることにする。
門型枠群は、荷台用幌を設置対象荷台床上の左右端間、および前後端間に所定高さの屋根付き貨物収納室を確保するよう張設可能とする機能を担うものであり、幌張設状態において設置対象荷台床上の前後端間にわたり、複数個の門型枠を適宜間隔置き毎に配列してなるものとしなければならず、荷台用幌を大きく弛ませることなく、充分な強度をもって支持、張設可能な形状および強度を有するものとすべきである。
【００２１】
門型枠は、設置対象荷台床上の前後方向に複数が配することにより、荷台床左右端上に夫々幌側壁面を支持し、荷台床上所定高さ位置に幌天面を支持可能とすると共に、該門型枠が一個単位で張設幌の前後間位置縦断面形状を充分な強度を持って支持、張設可能とする機能を有しており、設置対象荷台床の左右幅端夫々に、直立姿勢に配置可能な左右柱部、および、同左右柱部の上端間に、設置対象荷台床の左右幅に相当する長さの梁部を横架してなるものとしなければならず、左右柱部および梁部を一体のものとすることができる外、夫々を別部品とし、互いにネジ結合や嵌合部同士の結合などにより、分解可能に組み合わせてなるものとすることができ、各部品は金属製棒や金属製パイプ、各種繊維強化樹脂製の棒やパイプなどからなるものとするのが望ましい。
【００２２】
左右柱部は、荷台用幌の左右側壁面を支持、張設可能とすると共に、梁部左右端を所定高さ位置に支持可能とし、前後に配する門型枠間に、自律伸縮機構を配設可能とする機能を担い、設置対象荷台床上に直線棒状体を鉛直姿勢に配するものとすべきであるが、直線棒状体を荷台内外側の何れか一方に傾斜させてなるものとすることが可能であり、下端には夫々、設置対象荷台床左右幅端の前後方向にスライド移動可能とする滑車やレールなどの滑動機構を設けてなるものとするのが良い。
【００２３】
梁部は、荷台用幌の天面を支持、張設可能とすると共に、左右柱部上端間を設置対象荷台床の左右間幅相当の間隔をもって一体に連結可能とする機能を有し、その正面形状は一般的な幌骨格形状と同様のものとすることが可能であり、例えば、切り妻屋根形とする凸折れ線棒状としたもの、片流れ屋根形とするよう左右柱部の何れか一方を長尺化して斜め線棒状としたもの、蒲鉾屋根形とするアーチ曲線棒状としたもの、後述する実施例にも示すように、フラットな屋根形とする水平直線棒状としたものなど、様々な形状のものとすることが可能である。、
【００２４】
自律伸縮機構は、設置対象荷台床の前後端間に配した門型枠群の前後に隣接する門型枠の少なくとも左右何れか一方の前後柱部同士を互いに連結すると共に、各門型枠を隣接する門型枠に接するように、単独で前後方向に移動可能とし、折り畳み可能とする機能を担っており、門型枠群中の前後に隣接する前後門型枠左右少なくとも何れか一方の前後柱部の中、何れか一方の上下間適所に、後倒リンクの一端を水平軸心回りに回動自在に軸着し、同後倒リンクの他端を同前後柱部の中、何れか他方の上下間適所に、上下摺動自在とするスライド機構を介して連結し、且つ、当該門型枠群中の前後に隣接する前後門型枠左右少なくとも何れか一方の前後柱部の中、何れか他方の上下間適所に、前倒リンクの一端を水平軸心回りに回動自在に軸着し、同前倒リンクの他端を同前後柱部の中、何れか一方の上下間適所に、上下摺動自在とするスライド機構を介して連結し、左右少なくとも何れか一方の前後位柱部間に夫々後倒リンクおよび前倒リンクをＸ字状に交叉させてなるものとすべきであり、また、門型枠群中の前後に隣接する前後門型枠左右少なくとも何れか一方の前後柱部の中、何れか一方の上下間適所に、後倒リンクの一端を水平軸心回りに回動自在に軸着し、同後倒リンクの他端を同前後柱部の中、何れか他方の上下間適所に、上下摺動自在とするスライド機構を介して連結し、且つ、当該門型枠群中の前後に隣接する前後門型枠左右少なくとも何れか一方の前後柱部の中、何れか他方の上下間適所に、前倒リンクの他端を水平軸心回りに回動自在に軸着し、同前倒リンクの一端を同前後柱部の中、何れか一方の上下間適所に、上下摺動自在とするスライド機構を介して連結し、各前後位柱部間夫々に後倒リンクおよび前倒リンクをＸ字状に交叉させてなるものとすることができる。
【００２５】
自律伸縮機構の後倒リンクは、門型枠群中の前後に隣接する前後門型枠左右少なくとも何れか一方の前後柱部の中、何れか一方の上下間適所と、同前後柱部の中、何れか他方の上下間適所とを連結し、且つ、同前後門型枠を適宜間隔だけ隔てて鉛直、平行姿勢に支持可能とすると共に、同前後門型枠を互いに近接する位置まで水平移動、折り畳み可能とするよう連結可能とする機能を有していて、門型枠群中の前後に隣接する前後門型枠左右少なくとも何れか一方の前後柱部の中、何れか一方の上下間適所に、後倒リンクの一端を水平軸心回りに回動自在に軸着し、同後倒リンクの他端を前後門型枠左右少なくとも何れか一方の前後柱部の中、何れか他方の上下間適所に、上下摺動自在とするスライド機構を介して連結してなるものか、または、門型枠群中の前後に隣接する前後門型枠左右少なくとも何れか一方の前後柱部の中、何れか一方の上下間適所に、後倒リンクの一端を水平軸心回りに回動自在に軸着し、同後倒リンクの他端を前後門型枠左右少なくとも何れか一方の前後柱部の中、何れか他方の上下間適所に、上下摺動自在とするスライド機構を介して連結してなるものかの何れか一方とすべきである。
【００２６】
後倒リンクは、後述する実施例にも示す通おり、門型枠群中の前後に隣接する前後門型枠左右少なくとも何れか一方の前後柱部の中、後位柱部の上下間適所に、後倒リンクの上端を水平軸心回りに回動自在に軸着し、同後倒リンクの下端を前位柱部の上下間適所に、上下摺動自在とするスライド機構を介して連結してなるものや、門型枠群中の前後に隣接する前後門型枠左右少なくとも何れか一方の前後柱部の中、前位柱部の上下間適所に、後倒リンクの上端を水平軸心回りに回動自在に軸着し、同後倒リンクの下端を後位柱部の上下間適所に、上下摺動自在とするスライド機構を介して連結してなるものなどとすることができる。
【００２７】
自律伸縮機構の前倒リンクは、門型枠群中の前後に隣接する前後門型枠左右少なくとも何れか一方の前後柱部の中、何れか他方の上下間適所と、同前倒リンクの他端を前後門型枠左右少なくとも何れか一方の前後柱部の中、何れか一方の上下間適所とを連結し、且つ、同前後門型枠を適宜間隔だけ隔てて鉛直、平行姿勢に支持可能とすると共に、同前後門型枠を互いに近接する位置まで水平移動、折り畳み可能とするよう連結可能とする機能を担い、門型枠群中の前後に隣接する前後門型枠左右少なくとも何れか一方の前後柱部の中、何れか他方の上下間適所に、前倒リンクの一端を水平軸心回りに回動自在に軸着し、同前倒リンクの他端を前後門型枠左右少なくとも何れか一方の前後柱部の中、何れか一方の上下間適所に、上下摺動自在とするスライド機構を介して連結してなるものか、または、門型枠群中の前後に隣接する前後門型枠左右少なくとも何れか一方の前後柱部の中、何れか他方の上下間適所に、前倒リンクの他端を水平軸心回りに回動自在に軸着し、同前倒リンクの一端を前後門型枠左右少なくとも何れか一方の前後柱部の中、何れか一方の上下間適所に、上下摺動自在とするスライド機構を介して連結してなるものかの何れか一方とすべきである。
【００２８】
前倒リンクは、後述する実施例にも示すとおり、門型枠群中の前後に隣接する前後門型枠左右少なくとも何れか一方の前後柱部の中、前位柱部の上下間適所に、前倒リンクの上端を水平軸心回りに回動自在に軸着し、同前倒リンクの下端を後位柱部の上下間適所に、上下摺動自在とするスライド機構を介して連結してなるものや、門型枠群中の前後に隣接する前後門型枠左右少なくとも何れか一方の前後柱部の中、前位柱部の上下間適所に、前倒リンクの下端を水平軸心回りに回動自在に軸着し、同前倒リンクの上端を後位柱部の上下間適所に、上下摺動自在とするスライド機構を介して連結してなるものなどとすることができる。
【００２９】
さらに、後述する実施例にも示すように、自律伸縮機構の前倒リンクが、門型枠群各門型枠左右柱部（設置対象荷台）内外側の何れか一方に配し、同自律伸縮機構の後倒リンクが、各門型枠左右柱部（設置対象荷台）内外側の何れか他方に配してなるものとすることができ、また、前倒リンクまたは後倒リンクの何れか一方が、同何れか他方よりも長尺に設定してなるものとすることができ、さらにまた、前倒リンクおよび後倒リンクの互いにＸ状に交叉する範囲に、双方の連結を維持する係合機構を設けたものとすることが可能であり、該係合機構をより具体的に示すならば、例えば、前倒リンクおよび後倒リンク何れか一方の、互いにＸ状に交叉する範囲にわたり長溝、長孔などのレール部を設け、何れか他方の、互いにＸ状に交叉する範囲中央に該レール部に摺動自在に嵌合する摺動ピン、滑車などの摺動ポイント部を突設し、前倒リンクおよび後倒リンクの交叉箇所を互いに該レール部および摺動ポイント部によって連結してなるものとすることができる。
【００３０】
スライド機構は、後倒リンクの端部を対応する門型枠柱部の上下間適所に、上下摺動自在に連結する機能を担うもの、または、前倒リンクの端部を対応する門型枠柱部の上下間適所に、上下摺動自在に連結する機能を担うものの何れか一方を担っており、門型枠柱部の上下間適所に、環状、筒状、管状などの閉断面形状をなし、上下摺動自在に装着してなるものとすることができる外、Ｃ状断面形のように、門型枠柱部の周囲に上下摺動自在に嵌着してなるものとすることが可能であり、また、門型枠柱部の上下間適宜範囲に（枠柱部に平行に）縦設したレール、案内溝などに摺動自在に嵌合してなるものとすることができる。
【００３１】
滑動機構は、門型枠群各門型枠左右柱部の下端を、設置対象荷台床左右幅端の前後方向に、円滑にスライド移動可能とする機能を有しており、各門型枠左右柱部の下端にキャスターや滑車、低摩擦素材製部品などの接地用部品を設けたものや、各門型枠左右柱部の下端を球面形や円錐形などの設置面積を小さくし、摩擦抵抗を軽減してなるものなどとすることができる外、設置対象荷台床左右幅端の前後端間にレールや案内溝などの案内道を敷設し、それに沿って各門型枠左右柱部の下端が、円滑に摺動可能なものなどとすることが可能であり、後述する実施例にも示すように、各門型枠左右柱部の下端が、案内レールから逸脱しないよう、適宜嵌合形状部を設けたものとすることができる。
【００３２】
設置対象荷台床は、この発明の荷台用幌張枠装置の設置対象となるものであり、後述する実施例にも示すとおり、小型トラック、軽トラックの荷台床として示しているが、中型、大型トラック、トレーラー、鉄道用貨車などの平ボディ貨物車両の荷台とすることができる外、屋外などに設置した荷台状の物置施設などとすることが可能である。
以下では、図面に示すこの発明を代表する実施例と共に、その構造について詳述することとする。                                                                                    
【図面の簡単な説明】
【００３３】
図面は、この発明の荷台用幌張枠装置の技術的思想を具現化した代表的な幾つかの実施例を示すものである。
【図１】軽トラックの荷台に搭載した荷台用幌張枠装置を示す斜視図である。
【図２】展開状態の荷台用幌張枠装置を示す側面図である。
【図３】荷台用幌張枠装置を示す背面図である。
【図４】後端の門型枠を前進移動する荷台用幌張枠装置を示す側面図である。
【図５】後端の門型枠を折畳んだ荷台用幌張枠装置を示す側面図である。
【図６】全ての門型枠を折畳んだ荷台用幌張枠装置を示す側面図である。
【図７】展開状態の荷台用幌張枠装置の他の例を示す側面図である。
【図８】荷台用幌張枠装置の他の例を示す背面図である。
【図９】後端の門型枠を前進移動する荷台用幌張枠装置を示す側面図である。
【図１０】後端の門型枠を折畳んだ荷台用幌張枠装置を示す側面図である。
【図１１】全ての門型枠を折畳んだ荷台用幌張枠装置を示す側面図である。
【図１２】軽トラックの荷台に搭載した従来型幌張枠を示す斜視図である。
【図１３】展開状態の従来型幌張枠を示す側面図である。
【図１４】従来型幌張枠を示す背面図である。
【図１５】折り畳み途中の従来型幌張枠を示す背面図である。
【図１６】完全に折畳んだ従来型幌張枠を示す背面図である。
【実施例１】
【００３４】
図１ないし図６に示す事例は、左右柱部２１，２１を有する複数の門型枠２０を互いに前後隣接配置してなる門型枠群２からなり、前後門型枠２０，２０左右少なくとも何れか一方の前後柱部２１，２１の中、何れか一方の上下間適所に後倒リンク３０の一端を軸着し、同後倒リンク３０の他端を前後門型枠２０，２０左右少なくとも何れか一方の前後柱部２１，２１の中何れか他方の上下間適所にスライド機構３３を介して連結し、且つ、前後門型枠２０，２０左右少なくとも何れか一方の前後柱部２１，２１の中何れか他方の上下間適所に前倒リンク３１の一端を軸着し、同前倒リンク３１の他端を前後門型枠２０，２０左右少なくとも何れか一方の前後柱部２１，２１の中何れか一方の上下間適所にスライド機構３３，３３を介して連結し、Ｘ字状に交叉する自律伸縮機構３，３を設けてなるものとした、この発明の荷台用幌張枠装置における代表的な一実施例を示すものである。
【００３５】
それら各図からも明確に把握できるとおり、この発明の荷台用幌張枠装置１は、軽トラック５の設置対象荷台床５０の左右幅端夫々に、直立姿勢に配置可能な左右柱部２１，２１の上端間に、設置対象荷台床５０の左右幅に相当する長さの梁部２２を横架してなる亜鉛鍍金鋼管製、アルミニウム合金パイプ製などの門型枠２０の複数が、前後隣接するもの同士、互いに同一高さとなる組み合わせとした門型枠群２をなすものとし、設置対象荷台床５０の最も前方に配した１個の門型枠２０を、同荷台５０鳥居部適所に連結金具を介して固定したものとしてある。
【００３６】
当該門型枠群２中の前後に隣接する前後門型枠２０，２０左右柱部２１，２１，……の中、後位柱部２１，２１荷台５０外がわ周壁の上下間適所に、後述する前倒リンク３１，３１よりも長尺に設定した左右後倒リンク３０、３０の上端軸着部３２，３２を水平軸心回りに回動自在に夫々軸着し、同左右後倒リンク３０，３０の下端を前位左右柱部２１，２１荷台５０外がわ周壁の上下間適所に、上下摺動自在とする筒状のスライド機構３３，３３を介して夫々連結し、且つ、当該門型枠群２中の前後に隣接する前後門型枠２０，２０左右柱部２１，２１，……の中、前位左右柱部２１，２１荷台５０内がわ周壁の上下間適所に、左右前倒リンク３１，３１の上端軸着部３２，３２を水平軸心回りに回動自在に夫々軸着し、同左右前倒リンク３１，３１の下端を後位左右柱部２１，２１荷台５０内がわ周壁の上下間適所に、上下摺動自在とするスライド機構３３，３３を介して夫々連結し、各前後位左右柱部２１，２１，……間夫々に左右後倒リンク３０，３０および左右前倒リンク３１，３１を左右夫々Ｘ字状に交叉させてなる左右自律伸縮機構３，３を設け、前後一対の門型枠２０，２０を折り畳みの１単位とし、前後何れか一方に門型枠２０を１個単位毎に追加するよう、左右自律伸縮機構３，３を介して複数連結したものである。
【００３７】
軸着部３２は、門型枠２０柱部２１の周壁に水平に立設した軸に後倒リンク３０、前倒リンク３１の対応する端部を回動自在に軸着し、該軸の先端に脱抜防止用の頭部を設けたものとすることができる外、軸の先端に雄ネジを刻設し、蝶ナットなどを螺着して締め付け、後倒リンク３０や前倒リンク３１の端部の連結角度を仮固定可能なものとすることができる。
【００３８】
スライド機構３３は、門型枠２０柱部２１の上下間適所に短筒状をなして摺動自在に嵌合したスライダ３４と、その周壁に水平に立設した軸に、後倒リンク３０、前倒リンク３１の対応する端部を回動自在に軸着したものとすることができ、さらに、該軸が、蝶ボルトからなり、スライダ３４周壁に貫通状に螺着し、後倒リンク３０、前倒リンク３１の対応する端部を回動自在に軸着すると共に、さらに締め付けすることによってそのボルト先端を柱部２１の周壁に圧接させるか、同柱部２１の周壁に予め穿設した固定用孔に嵌合させるかするなどして、後倒リンク３０や前倒リンク３１の端部を所望の高さ位置に仮固定可能なものとすることができる。
【００３９】
左右自律伸縮機構３は、この実施例に上述した連結形状の他に、図７ないし図１１に示すように、当該門型枠群２中の前後に隣接する前後門型枠２０，２０左右柱部２１，２１，…の中、前位左右柱部２１，２１荷台５０（図１参照）外がわ周壁の上下間適所に、後述する前倒リンク３１，３１と同一の長さに設定した左右後倒リンク３０，３０の下端軸着部３２，３２を水平軸心回りに回動自在に夫々軸着し、同左右後倒リンク３０，３０の上端を後位左右柱部２１，２１荷台５０外がわ周壁の上下間適所に、上下摺動自在とするスライド機構３３，３３を介して夫々連結し、且つ、当該門型枠群２中の前後に隣接する前後門型枠２０，２０左右柱部２１，２１，……の中、前位左右柱部２１，２１荷台５０内がわ周壁の上下間適所に、左右前倒リンク３１、３１の上端を水平軸心回りに回動自在に夫々軸着し、同左右前倒リンク３１，３１の下端を後位左右柱部２１，２１荷台５０内がわ周壁の上下間適所に、上下摺動自在とするスライド機構３３，３３を介して夫々連結し、各前後位左右柱部２１，２１，……間夫々に左右後倒リンク３０，３０および左右前倒リンク３１，３１を、左右夫々Ｘ字状に交叉させてなる左右自律伸縮機構３，３を設けてなるものとすることが可能である。
【００４０】
図２ないし図１１の何れにも示すように、当該荷台用幌張枠装置１は、軽トラック５設置対象荷台床５０左右幅端夫々に、同荷台床５０前後端間にわたって敷設した凹断面形状の左右ガイドーレール４０，４０の案内溝４１，４１に、門型枠群２各門型枠２０，２０，……の左右柱部２１，２１，…下端を、夫々前後摺動自在に嵌合してなる滑動機構４を有するものとすることができる。
【００４１】
（実施例１の作用・効果）
以上のとおりの構成からなるこの発明の荷台用幌張枠装置１は、図１ないし図６に示すように、門型枠群２左右夫々の前後に連なる各自律伸縮機構３，３，……を夫々拡張長さＬに拡張し、その全長ＡＬを、該拡張長さＬに自律伸縮機構３，３，……数Ｎを掛けた長さ（ＡＬ＝Ｌ×Ｎ）とし、図１および図２に示すように、設置対象荷台床５０の全体をカバーすることができ、該荷台用幌張枠装置１の外がわに図示しない幌を張設することが可能となる。
【００４２】
図４および図５に示すように、設置対象荷台床５０の最後尾に配した１個の門型枠２０を、同図中の白抜き矢印のとおり、前方に移動させると、最後尾の左右自律伸縮機構３，３だけが折り畳まれ、その折畳み寸法Ｓを次第に折り畳み最小値Ｅまで縮めることとなり、さらにその後、後方から２番目の門型枠２０を同様に前方に移動させて行き、全長ＡＬを短縮全長ＳＬとし、図６のように、最終的に全ての自律伸縮機構３，３，……を夫々折り畳み最小値Ｅまで折畳むことが可能であり、図７ないし図１２に示す荷台用幌張枠装置１も略同等の動作を実現化することができる。
【００４３】
したがって、例えば、籾殻などのような粒状貨物類を軽トラック５設置対象荷台床５０に搭載し、輸送する場合に、図１２ないし図１６に示したような従来型の幌張枠６は、搭載した粒状貨物類を全て搬出するまで、同粒状貨物類が干渉して全く折畳むことができなかったが、こうした欠点を解消し、搭載した籾殻の量に応じて、門型枠群２の後端より設置全長ＡＬを短縮全長ＳＬに自在に調節することができ、搭載した籾殻の一部を荷台床５０の後方より搬出し、さらに別の場所に移動する場合などは、貨物を搬出して空になった荷台床５０後部を露出状とするよう後部の門型枠２０を１個単位で支障無く前進移動させ、幌の後部を円滑に折畳むことができることから、横風抵抗を軽減し、より安全且つ経済的に輸送可能なものとなる。
【００４４】
（結  び）
叙述の如く、この発明の荷台用幌張枠装置は、その新規な構成によって所期の目的を遍く達成可能とするものであり、しかも製造も容易で、従前からの幌用骨格技術に比較して貨物の搬入および搬出の作業性を大幅に改善し得ると共に、貨物量に応じて前後伸縮可能なものとしたから、地上などに設置する場合には省スペース化を達成し、貨物車両に搭載した場合には、走行安全性を高め、空気抵抗を減らして低燃費化して遥かに経済的なものとすることができるものとなることから、倉庫、物置、車庫などの外構設備製造業界および貨物車両を製造する自動車業界は勿論のこと、自動車部品業界や、貨物車両を利用する各種産業界においても高く評価され、広範に渡って利用、普及していくものになると予想される。                                                                              
【符号の説明】
【００４５】
１      荷台用幌張枠装置
２      門型枠群
２０    同  門型枠
２１    同  左右柱部
２２    同  梁部
３      自律伸縮機構
３０    同  後倒リンク
３１    同  前倒リンク
３２    同  軸着部
３３    同  スライド機構
３４    同  スライダ
４      滑動機構
４０    同  ガイドーレール
４１    同  案内溝
ＡＬ      門型枠群の全長
ＳＬ      門型枠群の短縮全長
Ｌ      自律伸縮機構３の拡張長さ
Ｓ      自律伸縮機構３の折畳み寸法
Ｅ      自律伸縮機構３の折り畳み最小値
５      軽トラック
５０    同  設置対象荷台床
６      従来型の幌張枠
７      従来型Ｘ状リンク
７０    同  従来型前傾リンク
７１    同  従来型後傾リンク
【図１】
2017065655.tif 000003
【図２】
2017065655.tif 000004
【図３】
2017065655.tif 000005
【図４】
2017065655.tif 000006
【図５】
2017065655.tif 000007
【図６】
2017065655.tif 000008
【図７】
2017065655.tif 000009
【図８】
2017065655.tif 000010
【図９】
2017065655.tif 000011
【図１０】
2017065655.tif 000012
【図１１】
2017065655.tif 000013
【図１２】
2017065655.tif 000014
【図１３】
2017065655.tif 000015
【図１４】
2017065655.tif 000016
【図１５】
2017065655.tif 000017
【図１６】
2017065655.tif 000018